(57)【要約】【課題】水槽本体内の水を除菌するための電極の交換が容易な加湿器を提供すること。【解決手段】電極６０などの部品を交換する場合には、先ず加湿器筐体２の水槽収納部１５から水槽本体３を引き出し、加湿器本体４への背面パネル１０の固定を解除するためビスを緩めると共に加湿器本体４への天面パネル９の固定を解除するためビスを緩めて、加湿器本体４から背面パネル１０及び天面パネル９を外して、側板支持部材２１も外す。次いで、ネジ６２を緩めて電極６０などが取り付けられた取付板６１を加湿器本体４の左側面から取り外して、電極６０などの部品交換をする。【選択図】図２４
2009052840.tif 000002
【特許請求の範囲】
【請求項１】
加湿器本体の水槽収納部に出し入れ可能に収納される水槽本体に給水タンクを介して給水可能とし、連動機構により前記水槽本体内の水を除菌するための電極が前記水槽収納部から水槽本体の引き出し時には該水槽本体内の水から離間し、且つ該水槽本体の収納時には該水槽本体内の水に浸り、該水槽本体に水に下部が浸された加湿フィルタを介して加湿された空気を外部へ放出するようにした加湿器であって、前記加湿器本体の側面に前記電極が取付けられた取付部材を取付けたことを特徴とする加湿器。
【請求項２】
加湿器本体の水槽収納部に出し入れ可能に収納される水槽本体に給水タンクを介して給水可能とし、連動機構により前記水槽本体内の水を除菌するための電極が前記水槽収納部から水槽本体の引き出し時には該水槽本体内の水から離間し、且つ該水槽本体の収納時には該水槽本体内の水に浸り、該水槽本体に水に下部が浸された加湿フィルタを介して加湿された空気を外部へ放出するようにした加湿器であって、前記加湿器本体の側面に立設した立上壁が周縁部に当接した状態で前記加湿器本体の側面に前記電極が取付けられた取付部材を取付けたことを特徴とする加湿器。
【請求項３】
前記電極がリード線を介して接続されるプリント基板を収納する電装箱を前記取付部材の上方に位置する前記加湿器本体の側面に設けたことを特徴とする請求項１又は請求項２に記載の加湿器。
【発明の詳細な説明】
【技術分野】
【０００１】
本発明は、加湿器本体の水槽収納部に出し入れ可能に収納される水槽本体に給水タンクを介して給水可能とし、連動機構により前記水槽本体内の水を除菌するための電極が前記水槽収納部から水槽本体の引き出し時には該水槽本体内の水から離間し、且つ該水槽本体の収納時には該水槽本体内の水に浸り、該水槽本体に水に下部が浸された加湿フィルタを介して加湿された空気を外部へ放出するようにした加湿器に関する。
【背景技術】
【０００２】
この種の加湿器は、例えば特許文献１などに開示されている。この文献によれば、電極が取付けられた電極ホルダは加湿器本体に回動可能に取付けられている。
【特許文献１】特開２００６−５７９９５号公報
【発明の開示】
【発明が解決しようとする課題】
【０００３】
しかし、電極ホルダは加湿器本体に直接に回動可能に取付けられているため、電極の交換に際しては、電極は甚だ狭くて、見えにくい位置に取付けられているので、交換作業が面倒であった。
【０００４】
そこで本発明は、水槽本体内の水を除菌するための電極の交換が容易な加湿器を提供することを目的とする。
【課題を解決するための手段】
【０００５】
このため第１の発明は、加湿器本体の水槽収納部に出し入れ可能に収納される水槽本体に給水タンクを介して給水可能とし、連動機構により前記水槽本体内の水を除菌するための電極が前記水槽収納部から水槽本体の引き出し時には該水槽本体内の水から離間し、且つ該水槽本体の収納時には該水槽本体内の水に浸り、該水槽本体に水に下部が浸された加湿フィルタを介して加湿された空気を外部へ放出するようにした加湿器であって、前記加湿器本体の側面に前記電極が取付けられた取付部材を取付けたことを特徴とする。
【０００６】
また第２の発明は、加湿器本体の水槽収納部に出し入れ可能に収納される水槽本体に給水タンクを介して給水可能とし、連動機構により前記水槽本体内の水を除菌するための電極が前記水槽収納部から水槽本体の引き出し時には該水槽本体内の水から離間し、且つ該水槽本体の収納時には該水槽本体内の水に浸り、該水槽本体に水に下部が浸された加湿フィルタを介して加湿された空気を外部へ放出するようにした加湿器であって、前記加湿器本体の側面に立設した立上壁が周縁部に当接した状態で前記加湿器本体の側面に前記電極が取付けられた取付部材を取付けたことを特徴とする。
【０００７】
更に第３の発明は、第１又は第２の発明において、前記電極がリード線を介して接続されるプリント基板を収納する電装箱を前記取付部材の上方に位置する前記加湿器本体の側面に設けたことを特徴とする。
【発明の効果】
【０００８】
本発明は、水槽本体内の水を除菌するための電極の交換が容易な加湿器を提供することができる。
【発明を実施するための最良の形態】
【０００９】
以下、本発明の電子機器のひとつである加湿器の実施の形態を図面に基づき説明する。図１は右側面部に配設されるエアフィルター１１及び吸込グリル１２が取り外された状態の加湿器１の斜め前方向から見た斜視図、図２は同じく加湿器１の斜め背方から見た斜視図、図３は加湿器１の斜め背方から見た分解斜視図、図４は加湿器筐体２の分解斜視図であり、加湿器筐体２と水槽本体３とから加湿器１が構成される。
【００１０】
図４に示すように、前記加湿器筐体２は大きく分けて、加湿器本体４と、この加湿器本体４の天面上に配設され各種表示部及び各種操作部を備える操作・表示パネル５と、加湿器本体４の前面を構成する前面パネル６と、吹出口７が開設されて上面に折り畳み自在に取っ手８が設けられる天面パネル９と、背面パネル１０と、エアフィルター１１及び吸込グリル１２が取り付けられる右側面パネル１３と、左側面パネル１４などから構成される。
【００１１】
図３に示すように、前記加湿器筐体２内は、下部に水槽収納部１５が形成され、その上方にファンケーシング１６によって囲まれた送風室１７が形成される。前記水槽収納部１５には上面開口せる水槽本体３が配設され、前記加湿器筐体２が形成された状態で、水槽本体３は加湿器筐体２に対して前後にスライドできて引き出し収納自在である。
【００１２】
次に、加湿器筐体２の組み立てについて説明すると、先ず前記加湿器本体４前下端部に開設した取付孔に前面パネル６の下端部に下方に突設させた突片（図示せず）を挿入して係止し、概ね外観形状がＬ字形状を呈して断面もＬ字形状を呈する側板支持部材２０及び２１の水平片にそれぞれ内方に突設させた突片２２（他方は図示せず）を前記加湿器本体４両側下端部に開設した取付孔２３（他方は図示せず）に挿入して係止する。
【００１３】
そして、概ね長方形状の前記右側面パネル１３及び左側面パネル１４を、前面パネル６と側板支持部材２０、２１とで支持させる。即ち、図５及び図６に示すように、右側面パネル１３、左側面パネル１４の表面側の周縁部には凹ませた重合部２５を形成する。また、前面パネル６の側部には内向きに折り曲げて折曲重合部２６を形成し、更に側板支持部材２０、２１は断面がＬ字形状を呈するように表面側から内向きに折り曲げて折曲重合部２７を形成する。そして、右側面パネル１３及び左側面パネル１４の重合部２５上に加湿器筐体２前下部に下端が支持された前面パネル６の折曲重合部２６を重ね合わせると共に加湿器筐体２両側下部に下端が支持された側板支持部材２０、２１の折曲重合部２７を重ね合わせる。
【００１４】
そして、加湿器本体４の天面上に操作・表示パネル５が載置して適宜な手段で位置決め固定されてあるので（図６参照）、図７及び図８に示すように、操作・表示パネル５に前面パネル６を連結（仮固定）する。即ち、図９に示すように、操作・表示パネル５の前部には凹部５Ａと段差部５Ｂとが形成されてあるので、前面パネル６を下部を支点として揺動させて、前面パネル６の上端に形成された重合部６Ａを前記凹部５Ａ内に挿入して操作・表示パネル５を支承すると共に載置部６Ｂを段差部５Ｂ上に載置して操作・表示パネル５に前面パネル６を連結（仮固定）する。
【００１５】
次いで、図１０に示すように、操作・表示パネル５の両外位置において前面パネル６に開設されたビス固定孔２８を介して、加湿器本体４前下端部に係止した状態の前面パネル６をビスにて加湿器本体４の天面上に固定する。
【００１６】
この状態で天面パネル９を操作・表示パネル５に連結（仮固定）する。即ち、操作・表示パネル５の両側部及び後部には凹部５Ｃが形成され(図９参照)、また平面視コ字形状を形成する天面パネル９の前開口部を形成するその内面側に重合部９Ａが形成され、更に天面パネル９の両側部には下向きに折り曲げて折曲重合部２９を形成し、図１１乃至図１３の状態から天面パネル９の両側の重合部９Ａを操作・表示パネル５の両側部の凹部５Ｃ内に後方から挿入して、且つ右側面パネル１３及び左側面パネル１４の外側の周縁部に凹ませて形成した重合部２５上に天面パネル９の折曲重合部２９を重ねた状態として、天面パネル９を前方へ滑らせる。
【００１７】
すると、天面パネル９の前部の重合部９Ａが操作・表示パネル５の後部の凹部５Ｃ内に後方から挿入することとなり、操作・表示パネル５に天面パネル９が連結（仮固定）されることとなる（図１４乃至図１６参照）。次に、図１７に示すように、背面パネル１０を加湿器本体４に連結する。即ち、この背面パネル１０の上部には前記天面パネル９の後部に形成された凹部内及び折曲重合部２９前端部の内側に挿入する重合部３０が形成され、また背面パネル１０の両側部には右側面パネル１３及び左側面パネル１４の重合部２５上に重なる折曲重合部３１が折り曲げ形成され、下部には凹んだ重合部３２が形成され、更には後述する給水タンク４７の一部を収納する収納空間３３が下端から上下中間位置まで形成され、下方から前記天面パネル９後部の凹部内及び折曲重合部２９前端部の内側に重合部３０を挿入すると共に右側面パネル１３及び左側面パネル１４の重合部２５上に折曲重合部３１を重ねる。
【００１８】
この後、天面パネル９に設けられた取っ手８を回動させて直立した状態とし、この天面パネル９の回動により現れた位置に設けられたビス固定孔３４を介してビスにて加湿器本体４の天面上に天面パネル９を固定する（図１８参照）。また、背面パネル１０の下部に凹ませた重合部３２に形成されたビス固定孔３６を介してビスにて加湿器本体４の後部に背面パネル１０を固定する。
【００１９】
最後に、図３及び図１９に示すように、前記加湿器筐体２内に形成された水槽収納部１５内に、水槽本体３を前方へスライドさせながら収納させる。前記水槽本体３内には前側にフィルタ収納室４０、後側にタンク収納室４１が形成されるように着脱可能な区画板４２で両室が連通状態で区分形成しており、前記フィルタ収納室４０内にはその中の水に下部が浸る状態に後述する加湿フィルタ４３が配設される。
【００２０】
そして、水槽本体３のタンク収納室４１に上方から給水タンク４７を挿入した状態で、加湿器筐体２の背方から前方に向けて前記水槽本体３をスライドさせて水槽収納部１５に収納すると、前記区画板４２上部が背面パネル１０の重合部３２に背方から重合する。そして、この状態で、加湿器筐体２の背面パネル１０に設けた吊下フック４４に前端上部から下向に形成された折返片４５が上方から係止するように且つ両側面及び後面が給水タンク４７の上部に形成された段差部４７Ａ上に載置するように上方から支持蓋体４６をかぶせると、上部の逃げ空間５４内に前記吊下フック４４が収まった状態の給水タンク４７を支持蓋体４６で支持固定できることとなる（図２及び図２０参照）。
【００２１】
なお、前記給水タンク４７は、図３に示すように、上部に取っ手４８を備え、その下部の円形状の注水口４９に着脱可能に中央部にバルブ５１が設けられたキャップ５０が設けられる。図２１に示すように、上下逆さまにして、キャップ５０を外して注水口４９を介して水が満たされた給水タンク４７のタンク収納室４１への収納の際には、前記バルブ５１がタンク収納室４１に形成された凹部５２に立設されたバルブ当接部５３に当接して凹んで開き、給水タンク４７内の水が水槽本体３内に供給され、前記凹部５２を介してタンク収納室４１及びフィルタ収納室４０は一定水位に維持される構成である。
【００２２】
また、前記給水タンク４７は、概ね直方体形状を呈しており、前面を下部から半分の高さ位置まで略半円筒状に前方に膨出させた膨出部５５が形成されると共に、前記凹部５２の周りのタンク収納室４１の底壁には１２０度の位置毎に３個の支持ピン５６（２個は図示せず）がそれぞれ同じ高さであるが前記バルブ当接部５３より少し低く立設されている。
【００２３】
更に、タンク収納室４１に配置した状態において、前記給水タンク４７は内部に水が無いか一定量より少ない場合には、重心が前記バルブ５１より後方位置となって後方へ傾くように、逆に内部の水が満水か一定量よりかなり多い場合にはバルブ５１が前記バルブ当接部５３によって凹み、３個の支持ピン５６がキャップ５０に均等圧で接触して重心がバルブ５１の真上の位置となるように形成される。
【００２４】
従って、使用者は、例えば透明か半透明の材料で作製された給水タンク４７内の水の量を目で確認し、或いは目で確認しなくとも、水を補充しようと思った場合には、先ず給水タンク４７に上方からかぶっていると共に折返片４５が吊下フック４４に係止している状態を解くために、支持蓋体４６を上方へ持ち上げる。このとき、給水タンク４７内の水の量が一定量より少ない場合には、給水タンク４７は後方へ傾くので、使用者は水の量を正確に確認しなくとも補充すべきと理解できる。そこで、給水タンク４７が後方へ傾いた場合には、タンク収納室４１より給水タンク４７を取り出して、図２１に示すように、上下逆さまにして、キャップ５０を外して注水口４９を介して水が満たすことができる。
【００２５】
なお、前記水槽本体３が加湿器筐体２の背方から前方に向けてスライドさせて水槽収納部１５に収納された状態では、加湿器筐体２に背面側から固定ネジで固定された前記背面パネル１０の背面下部に形成された重合部３２にフィルタ収納室４０とタンク収納室４１とを区分けする区画板４２上部が重合するので、この重合する際には適度のクリック感が生じると共に、水槽本体３の前方への移動の規制となり、しかも区画板４２にも給水タンク４７を収納するための収納空間４２Ａが前記背面パネル１０の収納空間３３と連通できるように形成され、背面パネル１０とは区画板４２とは同じ面一となって見映えが良好である。
【００２６】
この水槽本体３を前方に向けてスライドさせて水槽収納部１５に収納させた後、例えば満水であれば給水タンク４７は直立状態であり、背面パネル１０に設けた吊下フック４４にその折返片４５を上方から係止させるように支持蓋体４６を上方からかぶせて、給水タンク４７を支持蓋体４６で支持固定するが、給水タンク４７の膨出部５５が背面パネル１０に形成された収納空間３３に収まるから、その収まる分だけ加湿器１の前後の寸法を少なくでき、薄く構成できる。即ち、給水タンク４７の直方体部分の奥行き寸法は約７８ｍｍであるが、膨出部５５が形成された箇所の奥行き寸法は、約９８ｍｍであり、約２０ｍｍ薄くできる。
【００２７】
また、前記凹部５２内にはマグネット付きのフロート５８が前後に軸支されて左右方向に揺動可能に配設され、このフロート５８に対応して前記加湿器本体４底部に配置されたリードスイッチ（図示せず）が前記マグネットの磁力で開閉され、前記凹部５２内の水位が定常水面よりも低下して渇水状態となるとフロート５８が揺動してマグネットが降下した際に、加湿器１の運転を停止させるものである。
【００２８】
図２４及び図２５において、２つの電極６０（重なって他方が見えないため、便宜上、１個のみ図示）は、一方をプラス電極とすると共に他方をマイナス電極として通電することにより、市水道などの水道水に含まれる塩素イオンを利用した電気分解によって水槽本体３の水に次亜塩素酸を生成し、この生成された次亜塩素酸によって、水槽本体３内の水の除菌を行う。そして、この電極６０の少なくとも先端の一部が前記水槽本体３内の水に浸るように加湿器筐体２内に設け、水槽本体３は上記したように、水槽収納部１５に引き出し自在に収納される形態であるため、水槽本体３を収納した状態では、前記電極６０は水槽本体３内の水中に浸るような所定位置へ揺動し、水槽本体３を引き出し状態では、水槽本体３の水から離間されて、水槽本体３外に退避するように移動し、前記水槽本体３の収納と引き出し動作に伴って揺動可能に加湿器筐体２内に支持される構成である。
【００２９】
具体的に説明すると、左側面パネル１４を外した加湿器１の左側面図である図２２に示すように、前記電極６０が揺動可能に取り付けられた取付板６１が加湿器本体４の左側面にネジ６２固定され、水槽本体３を水槽収納部１５内に収納するようにスライドさせると、図３に示すように、前記水槽本体３の左部において前方へ突設された電極押圧部６３が前記取付板６１と共に電極６０の取付空間を形成する前板の開口を介して当接部６６に当接して電極取付ホルダ６７が揺動して前記電極６０が水槽本体３内の水中に浸るように移動する構成である。
【００３０】
なお、水槽本体３側面と電極押圧部６３とで後方へ開いた窪み６８が形成され、水槽本体３を加湿器筐体２に収納したとき電極６０の取付空間を形成する側壁が前記窪み６８に入り込み、水槽本体３の左右のブレを抑制した状態で加湿器筐体２に水槽本体３を支持固定することができる。
【００３１】
そして、取付板６１の左側面（内側面）図である図２４及び図２５に示すように、前記加湿器本体４の左側面に側面視四角形状を呈して立設された立上壁４Ａが周縁平面部６１Ａに当接すると共に周縁部に形成した立上壁６１Ｂが前記加湿器本体４の立上壁４Ａの内方に位置するようにビス６２にて取付板６１は加湿器本体４に固定される。
【００３２】
この取付板６１には、一端側に前記当接部６６が形成されると共に他端に２枚の電極６０（他方は紙面の下側にあり、図示せず）が取り付けられる電極取付ホルダ６７の中間部が支軸７０に揺動可能に支持される。即ち、前記取付板６１には支軸７０が立設され、電極取付ホルダ６７に取付板６１方向に立設された円筒状の軸筒体７１の中空部に前記支軸７０が回動可能に挿入されて、取付板６１に電極取付ホルダ６７の中間部が揺動可能に支持される。
【００３３】
しかも、コイルスプリング７３が前記軸筒体７１に巻装されて一端が取付板６１に立設したピン７４に支持されると共に他端が電極取付ホルダ６７の係止部７５（取付板６１に面する側に形成）に係止した状態でネジ７６が前記支軸７０に螺入して、コイルスプリング７３及び電極取付ホルダ６７の抜けを防止しており、このコイルスプリング７３により電極６０を常に上方へ回動するように付勢しており、前記水槽本体３の電極押圧部６３が前記当接部６６に当接していない状態では、前記取付板６１に形成された規制部８０に電極取付ホルダ６７の側面部６７Ａが当接して規制された状態で電極６０は水槽本体３の水から離間する（図２４参照）。また、前記水槽本体３を水槽収納部１５内に収納するようにスライドさせると、前記水槽本体３の電極押圧部６３が前板の開口を介して前記当接部６６に当接し、コイルスプリング７３の付勢力に抗して電極取付ホルダ６７を揺動させて前記電極６０が水槽本体３内の水中に浸るように移動させる（図２５参照）。
【００３４】
なお、電装箱８１は加湿器本体４の左側面部の前記取付板６１の上方位置に設けられ、各種の電子部品を搭載したり、各リード線を介して各種電子部品と接続するプリント基板などが配設されている。そして、このプリント基板に線外径が例えば１．２ｍｍのリード線８２を介して電極６０が接続されているが、前記電極取付ホルダ６７が揺動してこのリード線８２がたるんだり、伸張しても前記取付板６１外への影響、即ちこのリード線８２が前記電装箱８１内のプリント基板や電極６０から外れたり、切れたりしないように前記リード線８２を前記取付板６１内で配線処理している。
【００３５】
即ち、先ず前記取付板６１に前記支軸７０より上方に且つ上下方向の配設レベルが同じとなる２本のピン８４、８５を立設し、前記電極取付ホルダ６７の押さえ片８３で前記電極６０からの前記リード線８２を押さえて支持し、次いで下方から上方に延びたリード線８２を前記取付板６１に立設された一方のピン８４と前記規制部８０の他端の間（両者の内寸法が１．５ｍｍ）を通し、それから前記一方のピン８４の上方からこのピン８４と他方のピン８５との間（両者の内寸法が２．０ｍｍ）を通し、更に前記他方のピン８５と円筒状のビス取付用立上筒８６との間（両者の内寸法が１．４ｍｍ）を通して、その後このリード線８２は前記電装箱８１内の前記プリント基板に接続されている。この場合、いずれの間隔も、リード線８２の線外径１．２ｍｍより大きく、線外径１．２ｍｍの２倍より小さい寸法として、上下方向に沿うようにジグザク配線処理することにより、リード線８２を固定支持できる。
【００３６】
しかも、図２５に示すように、前記水槽本体３の電極押圧部６３が前記当接部６６に当接し、コイルスプリング７３の付勢力に抗して電極取付ホルダ６７を揺動させて前記電極６０が水槽本体３内の水中に浸っている場合には、前記一方のピン８４と押さえ片８３との間隔が最長となって前記リード線８２が伸張するが、図２４に示すように、水槽収納部１５から水槽本体３が引き出されると、前記水槽本体３の電極押圧部６３と前記当接部６６との当接が解かれ、コイルスプリング７３の付勢力により電極取付ホルダ６７が揺動して前記一方のピン８４と押さえ片８３との間隔が最短となって前記リード線８２がたるむこととなる。
【００３７】
従って、前記一方のピン８４と押さえ片８３との間隔が最長となって前記リード線８２が伸張するので、このときに取付板６１内部にリード線８２を引き込み移動しないような長さにして、前述したような配線処理を行う。
【００３８】
即ち、水槽収納部１５に水槽本体３を収納する際に、前記水槽本体３の電極押圧部６３が前記当接部６６に当接して、コイルスプリング７３の付勢力に抗して電極取付ホルダ６７を揺動させて、前記一方のピン８４と押さえ片８３との間隔が最長となって前記リード線８２が伸張しても、このリード線８２は取付板６１内では押さえ片８３、一方のピン８４、前記規制部８０の他端、他方のピン８５、ビス取付用立上筒８６により固定支持され、取付板６１内部にリード線８２を引き込み移動しないこととなる。また、水槽収納部１５から水槽本体３を引き出す際に、コイルスプリング７３の付勢力により電極取付ホルダ６７が揺動して、前記一方のピン８４と押さえ片８３との間隔が最短となって前記リード線８２がたるんでも、取付板６１内部にリード線８２を引き込み移動させないと共に取付板６１外部へ移動しないこととなる。
【００３９】
このため、水槽収納部１５へ水槽本体３を出し入れして、電極取付ホルダ６７が揺動してリード線８２がたるんだり、伸張しても、このリード線８２が前記電装箱８１内のプリント基板や電極６０から外れたり、切れたりすることが防止できる。
【００４０】
なお、電極６０などの部品を交換する場合には、先ず加湿器筐体２の水槽収納部１５から水槽本体３を引き出し、加湿器本体４への背面パネル１０の固定を解除するためビスを緩めると共に加湿器本体４への天面パネル９の固定を解除するためビスを緩めて、加湿器本体４から背面パネル１０及び天面パネル９を外して、側板支持部材２１も外す（図２２及び図２３参照）。次いで、ネジ６２を緩めて電極６０などが取り付けられた取付板６１を加湿器本体４の左側面から取り外して、電極６０などの部品交換をする。
【００４１】
従って、取付板６１を加湿器本体４の左側面から取り外すことにより、加湿器本体４側ではなく、取付板６１に電極６０などが取り付けられているため、電極６０などの部品交換が容易である。また、電装箱８１は加湿器筐体２の左側面部の前記取付板６１の上方位置に設けられているので、電極６０に接続されるリード線６２を短くすることができる。
【００４２】
そして、前記加湿器本体４内にファンケーシング１６で形成される送風室１７内には、電動機によって回転するシロッコファンで構成された送風機が収納されている。そして、送風機が運転すると、空気がエアフィルター１１及び吸込グリル１２が取り付けられる右側面パネル１３からファンケーシング１６側部に開口した吸込口を介して送風室１７内に吸引され、ファンケーシング１６下部に開口した吹出口を介して水槽本体３内の加湿フィルタ４３に向けられ、この加湿フィルタ４３を通過した湿った空気はファンケーシング１６背面と背面パネル１０及び区画板４２との間に形成される通風路を介して上昇して天面パネル９の吹出口７を介して室内に吹き出される構成である。
【００４３】
なお、前記加湿フィルタ４３は、水槽本体３内の水を毛細管作用によって吸い上げる化学繊維製の不織布で構成された平板状布体と波状布体との相互間に前記送風機からの送風が通過する多数の通気路が構成された外形が直方体形状のフィルタブロック４３Ａと、このフィルタブロック４３Ａを取り囲んで収納するもので空気通過用の開口を有する外形が直方体形状のフレーム４３Ｂを備えた構成である。そして、加湿フィルタ４３のフィルタブロック４３Ａの平板状布体と波状布体の下部が水槽本体３内の水中に没して、毛細管作用によって水槽本体３内の水を吸い上げ、前記送風機によって供給される送風が多数の前記通気路を通過する間に、この吸い上げられた水が気化して湿気を帯びた空気となって加湿フィルタ４３の後面側に送出され、前記通風路を上昇して湿気を含む空気として吹出口７から加湿器１外に送出され、加湿器１が設置された室内の空気を加湿する。
【００４４】
次に、前記加湿器本体４の底面の、例えば四隅に設けられる脚体について、図２６乃至図２９に基き説明する。図２６及び図２７に示すように、前記加湿器本体４の底面に下方に下面が開口した（無底の）取付筒部９０を突設し、この取付筒部９０の対向する、例えば２ケ所、即ち１８０度の位置の対向する２ケ所には内壁面の上下中間位置に内向きに突出した支持突片９１を形成する。この支持突片９１は、下方から上方に向けて徐々に互いに近くなるように傾斜し、且つ上方に行くに従って径が大きくなる円錐を縦断した半分のような形状を呈している。
【００４５】
そして、下面が床上等に接触する脚本体９２は、大径と小径の２段の円柱状を呈しており、外径が前記取付筒部９０の筒壁の外径より小さく内径より大きい薄肉の支承部９２Ａと、この支承部９２Ａの上部に形成されて外径が前記取付筒部９０の筒壁の内径より小さく両支持突片９１の間隔より大きく且つ高さが前記取付筒部９０の内部空間の深さと同じ挿入部９２Ｂとを備えている。
【００４６】
なお、前記脚本体９２は、弾性を有して摩擦係数が高い材料の合成ゴム、例えばＣＲ（クロロプレンゴム）やＥＰＤＭ（エチレン・プロピレンゴム）で作製され、大気に触れても劣化しにくい耐候性があるものが好適である。
【００４７】
そして、図２８及び図２９に示すように、前記加湿器本体４の底面の各取付筒部９０内に各脚本体９２の挿入部９２Ｂを下方から挿入すると、前記両支持突片９１は山部が凹むように少し変形するが、各脚本体９２の挿入部９２Ｂの側面部に当接して支持する。この場合、脚本体９２の挿入部９２Ｂの天面が前記取付筒部９０の上壁面に接するまで挿入するが、挿入するときの脚本体９２と取付筒部９０との接触代が短いから、入れ易い。
【００４８】
即ち、従来の一般的な構造のように、単に中空円筒部内に円柱状の脚本体を挿入する場合には、両者の接触代が長いから入れづらいが、図２９に示すように、前記加湿器本体４の底面の各取付筒部９０内に各脚本体９２の挿入部９２Ｂを下方から挿入する際には、脚本体９２の挿入部９２Ｂに取付筒部９０の支持突片９１が接触しながら挿入するが、この挿入するときの脚本体９２との接触代が短いから入れ易く、また挿入後の各支持突片９１は下方から上方に向けて徐々に互いに近くなるような形状を呈しているから抜けにくい。
【００４９】
以上本発明の実施態様について説明したが、上述の説明に基づいて当業者にとって種々の代替例、修正又は変形が可能であり、本発明の主旨を逸脱しない範囲で前述の種々の代替例、修正又は変形を包含するものである。
【図面の簡単な説明】
【００５０】
【図１】右側面部に配設されるエアフィルター及び吸込グリルが取り外された状態の加湿器の斜め前方向から見た斜視図である。
【図２】加湿器の斜め背方から見た斜視図である。
【図３】加湿器の斜め背方から見た分解斜視図である。
【図４】加湿器筐体の分解斜視図である。
【図５】左側面パネルの重合部上に側板支持部材の重合部を重ね合わせようとしている斜視図である。
【図６】操作・表示パネルに前パネルを接続しようとしている加湿器の右側面図である。
【図７】操作・表示パネルに前パネルを接続した加湿器の右側面図である。
【図８】操作・表示パネルに前パネルを接続した加湿器の要部右側面図である。
【図９】操作・表示パネルに前パネルを接続した状態の縦断側面図である。
【図１０】前面パネルをビスにて加湿器本体の天面上に固定しようとしている状態の加湿器の平面図である。
【図１１】操作・表示パネルに天面パネルを取り付けようとしている状態の加湿器の斜視図である。
【図１２】操作・表示パネルに天面パネルを取り付けようとしている状態の加湿器の右側面図である。
【図１３】操作・表示パネルに天面パネルを取り付けようとしている状態の加湿器の要部斜視図である。
【図１４】操作・表示パネルに天面パネルを取り付けた状態の加湿器の斜視図である。
【図１５】操作・表示パネルに天面パネルを取り付けた状態の加湿器の右側面図である。
【図１６】図１３のＡ−Ａ断面図である。
【図１７】背面パネルを加湿器本体に取付けようとしている加湿器の斜視図である。
【図１８】背面パネルを加湿器本体に取付けた後に、ビスにて加湿器本体の天面上に天面パネルを固定しようとする加湿器の平面図である。
【図１９】加湿器筐体に水槽本体を取付けようとする状態の加湿器の斜視図である。
【図２０】給水タンクの上部に上方から支持蓋体をかぶせようとしている状態の加湿器の斜視図である。
【図２１】キャップを外して注水口を介して給水タンクに給水している状態の給水タンクの斜視図である。
【図２２】左側面パネルを外した状態の加湿器の左側面図である。
【図２３】左側面パネルを外した状態の加湿器の斜視図である。
【図２４】水槽本体を加湿器筐体の水槽収納部に収納しようとする状態の取付板の側面図である。
【図２５】水槽本体を加湿器筐体の水槽収納部に収納した状態の取付板の側面図である。
【図２６】脚本体を取付筒部に取付ける前の加湿器筐体の底面図である。
【図２７】脚本体を取付筒部に取付ける前の加湿器筐体の要部縦断面図である。
【図２８】脚本体を取付筒部に取付けた状態の加湿器筐体の底面図である。
【図２９】脚本体を取付筒部に取付けた状態の加湿器筐体の要部縦断面図である。
【符号の説明】
【００５１】
１            加湿器
２            加湿器筐体
３            水槽本体
４            加湿器本体
４Ａ          立上壁
１０          背面パネル
１５          水槽収納部
４３          加湿フィルタ
４７          給水タンク
６０          電極
６１          取付板
６１Ａ        周縁平面部
６１Ｂ        立上壁
８１          電装箱
８２          リード線
【図１】
2009052840.tif 000003
【図２】
2009052840.tif 000004
【図３】
2009052840.tif 000005
【図４】
2009052840.tif 000006
【図５】
2009052840.tif 000007
【図６】
2009052840.tif 000008
【図７】
2009052840.tif 000009
【図８】
2009052840.tif 000010
【図９】
2009052840.tif 000011
【図１０】
2009052840.tif 000012
【図１１】
2009052840.tif 000013
【図１２】
2009052840.tif 000014
【図１３】
2009052840.tif 000015
【図１４】
2009052840.tif 000016
【図１５】
2009052840.tif 000017
【図１６】
2009052840.tif 000018
【図１７】
2009052840.tif 000019
【図１８】
2009052840.tif 000020
【図１９】
2009052840.tif 000021
【図２０】
2009052840.tif 000022
【図２１】
2009052840.tif 000023
【図２２】
2009052840.tif 000024
【図２３】
2009052840.tif 000025
【図２４】
2009052840.tif 000026
【図２５】
2009052840.tif 000027
【図２６】
2009052840.tif 000028
【図２７】
2009052840.tif 000029
【図２８】
2009052840.tif 000030
【図２９】
2009052840.tif 000031